(57)【要約】      （修正有）【課題】蝶番を使用しないで折り畳み収納可能な経机を提供する。【解決手段】経机Ｋは、天板と、Ｘ字状に形成された一対の脚２、２で、天板１を支持する経机Ｋであって、一対の脚２、２は、２個の同じ脚２で構成され、この２個の同じ脚２はそれぞれ略門形状をなし、脚２は一方の脚部２１と、この一方の脚部２１に対向する位置にある他方の脚部２２と、この他方の脚部２２と一方の脚部２１を接続する接続部２３とを有している。【選択図】図９
0003157997.tif 000002
【実用新案登録請求の範囲】
【請求項１】
天板と、
Ｘ字状に形成された一対の脚で、前記天板を支持する経机であって、
前記一対の脚は、２個の同じ脚で構成され、
この２個の同じ脚はそれぞれ略門形状をなし、
前記脚は一方の脚部と、この一方の脚部に対向する位置にある他方の脚部と、この他方の脚部と前記一方の脚部を接続する接続部とを有し、
前記一方の脚部と前記他方の脚部の脚部長さは、同じであり、
前記一方の脚部の長手方向の中途に前記長手方向を横断する方向に一方の略コ字状の開口部が設けられ、この一方の略コ字状の開口部は、前記他方の脚部に向かう側に開口し、
前記他方の脚部の長手方向の中途に前記長手方向を横断する方向に他方の略コ字状の開口部が設けられ、この他方の略コ字状の開口部は、前記一方の脚部と反対側に開口し、
前記２個の同じ脚は、一方の脚と他方の脚であり、
前記一方の脚の前記一方の略コ字状の開口部の開口縁部と前記他方の脚の他方の略コ字状の開口部の開口縁部とが、前記一方の脚の前記他方の略コ字状の開口部の開口縁部と前記他方の脚の前記一方の略コ字状の開口部とが、それぞれ係止して、前記一対の脚をＸ字状に形成している
ことを特徴とする経机。
【請求項２】
天板は、平面視、略四角形状であり、
前記天板の裏面の周縁は四角形状に囲む周縁部に形成され、
前記一対の脚の上部は前記周縁部内の前記天板の裏面に、前記一対の脚の下部は載置面に、それぞれ当接している
ことを特徴とする請求項１記載の経机。
【請求項３】
天板と、
Ｘ字状に形成された一対の脚で、前記天板を支持する経机であって、
前記天板は、平面視、略四角形状であり、
前記天板の裏面の周縁は、四角形状に囲む周縁部に形成され、
前記一対の脚は、２個の同じ脚で構成され、
この２個の同じ脚はそれぞれ略門形状をなし、
略門形状をなした前記脚は、一方の脚部と、この一方の脚部に対向する位置にある他方の脚部と、この他方の脚部と前記一方の脚部とを接続する接続部とを有し、
前記一方の脚部の長手方向の中途に前記長手方向を横断する方向に一方の略コ字状の開口部が設けられ、この一方の略コ字状の開口部は、前記他方の脚部に向かう側に開口し、
前記他方の脚部の長手方向の中途に前記長手方向を横断する方向に他方の略コ字状の開口部が設けられ、この他方の略コ字状の開口部は、前記一方の脚部と反対側に開口し、
前記接続部が上、前記一方の略コ字状の開口部が右、前記他方の略コ字状の開口部が左に位置した場合、前記一方の略コ字状の開口部の対向する開口縁部は、それぞれ前記一方の脚部の厚み方向に向かって上がる一方の傾斜面が形成され、前記他方の略コ字状の開口部の対向する開口部縁部はそれぞれ前記他方の脚部の厚み方向に向かって上がる他方の傾斜面が形成され、
前記一方の脚部の厚み方向とは、前記一方の略コ字状の開口部が右、前記他方の略コ字状の開口部が左に位置した場合、前記一方の脚部の長手方向に対して直角に横断する方向の手前から奥に向かう方向であり、
前記他方の脚部の厚み方向とは、前記一方の略コ字状の開口部が右、前記他方の略コ字状の開口部が左に位置した場合、前記他方の脚部の長手方向に対して直角に横断する方向の手前から奥に向かう方向であり、
前記他方の傾斜面と前記一方の傾斜面の前記一方の脚部及び前記他方の脚部の厚み方向に向かって上がる傾斜角度は略同じであり、
前記２個の同じ脚は、一方の脚と他方の脚であり、
前記一方の脚の前記一方の略コ字状の開口部の開口縁部と前記他方の脚の他方の略コ字状の開口部の開口縁部とが、前記一方の脚の前記他方の略コ字状の開口部の開口縁部と前記他方の脚の前記一方の略コ字状の開口部の開口縁部とが、それぞれ係止して、前記一対の脚をＸ字状に形成し、
前記一方の脚の前記一方の脚部及び前記他方の脚部の先端と前記他方の脚の前記一方の脚部及び前記他方の脚部の先端とが載置面に支持され、
前記一方の脚の接続部と前記他方の脚の接続部が周縁部内の前記天板の裏面に当接して支持されている
ことを特徴とする経机。
【請求項４】
周縁部の内壁は、時計回りに、第１の内壁、第２の内壁、第３の内壁、第４の内壁で構成され、
前記一方の脚の略門形状の一方のコーナー部は、前記第１の内壁と前記第２の内壁とで構成される第１のコーナー部に、前記一方の脚の略門形状の他方のコーナー部は、前記第４の内壁と前記第１の内壁とで構成される第４のコーナー部に、前記他方の脚の略門形状の他方のコーナー部は、前記第２の内壁と前記第３の内壁とで構成される第２のコーナー部に、前記他方の脚の略門形状の一方のコーナー部は、前記第３の内壁と前記第４の内壁とで構成される第３のコーナー部に、それぞれ当接している
ことを特徴とする請求項３記載の経机。
【請求項５】
天板と、
Ｘ字状に形成された一対の脚で、前記天板を支持する経机であって、
前記天板は、平面視、略四角形状であり、
前記天板の裏面の周縁は、四角形状に囲む周縁部に形成され、
前記一対の脚は、２個の同じ脚で構成され、
この２個の同じ脚はそれぞれ略門形状をなし、
略門形状をなした前記脚は、一方の脚部と、この一方の脚部に対向する位置にある他方の脚部と、この他方の脚部と前記一方の脚部とを接続する接続部とを有し、
前記一方の脚部の長手方向の中途に前記長手方向を横断する方向に一方の略コ字状の開口部が設けられ、この一方の略コ字状の開口部は、前記他方の脚部に向かう側に開口し、
前記他方の脚部の長手方向の中途に前記長手方向を横断する方向に他方の略コ字状の開口部が設けられ、この他方の略コ字状の開口部は、前記一方の脚部と反対側に開口し、
前記接続部が上、前記一方の略コ字状の開口部が右、前記他方の略コ字状の開口部が左に位置した場合、前記一方の略コ字状の開口部の対向する開口縁部は、それぞれ前記一方の脚部の厚み方向に向かって上がる一方の傾斜面が形成され、前記他方の略コ字状の開口部の対向する開口部縁部はそれぞれ前記他方の脚部の厚み方向に向かって上がる他方の傾斜面が形成され、
前記一方の脚部の厚み方向とは、前記一方の脚部の長手方向に対して直角に横断する方向であり、
前記他方の脚部の厚み方向とは、前記他方の脚部の長手方向に対して直角に横断する方向であり、
前記他方の傾斜面と前記一方の傾斜面の前記一方の脚部及び前記他方の脚部の厚み方向に向かって上がる傾斜角度は略同じであり、
前記２個の同じ脚は、一方の脚と他方の脚であり、
前記一方の脚の前記一方の略コ字状の開口部の開口縁部と前記他方の脚の他方の略コ字状の開口部の開口縁部とが、前記一方の脚の前記他方の略コ字状の開口部の開口縁部と前記他方の脚の前記一方の略コ字状の開口部とが、それぞれ係止して、前記一対の脚をＸ字状に形成し、
前記一方の脚の接続部と前記他方の脚の接続部が載置面に支持され、
前記一方の脚の前記一方の脚部及び前記他方の脚部の先端と前記他方の脚の前記一方の脚部及び前記他方の脚部の先端とが前記周縁部内の前記天板の裏面に当接して支持されている
ことを特徴とする経机。
【請求項６】
天板及び一対の脚は、木で形成されている
ことを特徴とする請求項１、２、３、５の何れか１項記載の経机。
【請求項７】
一方の脚部と他方の脚部とを接続する第１の補強部材、又は、一方の脚部と接続部とを接続する第２の補強部材が設けられている
ことを特徴とする請求項１、３、５の何れか１項記載の経机。
【考案の詳細な説明】
【技術分野】
【０００１】
本考案は、経机に係り、特に、蝶番を使用しないで製作することができる経机に関する。
【背景技術】
【０００２】
従来、折り畳み収納可能な経机がある（例えば、特許文献参照）。
これは、天板と脚板と補強板から成り、該脚板は天板下面の左右両側部に垂直方向にそれぞれ設け、且つ、天板に対して水平方向の枢軸を有する蝶番を介して、水平方向にそれぞれ折り畳み可能になっている。
【先行技術文献】
【特許文献】
【０００３】
実用新案登録第３１２７４００号公報  図５
【考案の概要】
【考案が解決しようとする課題】
【０００４】
しかしながら、上述の経机の製作にあっては、蝶番を使用しているため、コストがかかると共に、経机が不要となった場合、蝶番を外して、天板、脚板等の非金属と、蝶番等の金属に分別しなければならず、廃棄処分が煩わしいという問題点があった。
【０００５】
本考案は、上記の問題点を除去するようにした経机を提供することを目的とする。
【課題を解決するための手段】
【０００６】
請求項１記載の経机は、天板と、Ｘ字状に形成された一対の脚で、前記天板を支持する経机であって、前記一対の脚は、２個の同じ脚で構成され、この２個の同じ脚はそれぞれ略門形状をなし、前記脚は一方の脚部と、この一方の脚部に対向する位置にある他方の脚部と、この他方の脚部と前記一方の脚部を接続する接続部とを有し、前記一方の脚部と前記他方の脚部の脚部長さは、同じであり、前記一方の脚部の長手方向の中途に前記長手方向を横断する方向に一方の略コ字状の開口部が設けられ、この一方の略コ字状の開口部は、前記他方の脚部に向かう側に開口し、前記他方の脚部の長手方向の中途に前記長手方向を横断する方向に他方の略コ字状の開口部が設けられ、この他方の略コ字状の開口部は、前記一方の脚部と反対側に開口し、前記２個の同じ脚は、一方の脚と他方の脚であり、前記一方の脚の前記一方の略コ字状の開口部の開口縁部と前記他方の脚の他方の略コ字状の開口部の開口縁部とが、前記一方の脚の前記他方の略コ字状の開口部の開口縁部と前記他方の脚の前記一方の略コ字状の開口部とが、それぞれ係止して、前記一対の脚をＸ字状に形成しているものである。
【０００７】
また、請求項２記載の経机は、請求項１記載の経机において、天板は、平面視、略四角形状であり、前記天板の裏面の周縁は四角形状に囲む周縁部に形成され、前記一対の脚の上部は前記周縁部内の前記天板の裏面に、前記一対の脚の下部は載置面に、それぞれ当接しているものである。
【０００８】
また、請求項３記載の経机は、天板と、Ｘ字状に形成された一対の脚で、前記天板を支持する経机であって、前記天板は、平面視、略四角形状であり、前記天板の裏面の周縁は、四角形状に囲む周縁部に形成され、前記一対の脚は、２個の同じ脚で構成され、この２個の同じ脚はそれぞれ略門形状をなし、略門形状をなした前記脚は、一方の脚部と、この一方の脚部に対向する位置にある他方の脚部と、この他方の脚部と前記一方の脚部とを接続する接続部とを有し、前記一方の脚部の長手方向の中途に前記長手方向を横断する方向に一方の略コ字状の開口部が設けられ、この一方の略コ字状の開口部は、前記他方の脚部に向かう側に開口し、前記他方の脚部の長手方向の中途に前記長手方向を横断する方向に他方の略コ字状の開口部が設けられ、この他方の略コ字状の開口部は、前記一方の脚部と反対側に開口し、前記接続部が上、前記一方の略コ字状の開口部が右、前記他方の略コ字状の開口部が左に位置した場合、前記一方の略コ字状の開口部の対向する開口縁部は、それぞれ前記一方の脚部の厚み方向に向かって上がる一方の傾斜面が形成され、前記他方の略コ字状の開口部の対向する開口部縁部はそれぞれ前記他方の脚部の厚み方向に向かって上がる他方の傾斜面が形成され、前記一方の脚部の厚み方向とは、前記一方の略コ字状の開口部が右、前記他方の略コ字状の開口部が左に位置した場合、前記一方の脚部の長手方向に対して直角に横断する方向の手前から奥に向かう方向であり、前記他方の脚部の厚み方向とは、前記一方の略コ字状の開口部が右、前記他方の略コ字状の開口部が左に位置した場合、前記他方の脚部の長手方向に対して直角に横断する方向の手前から奥に向かう方向であり、前記他方の傾斜面と前記一方の傾斜面の前記一方の脚部及び前記他方の脚部の厚み方向に向かって上がる傾斜角度は略同じであり、前記２個の同じ脚は、一方の脚と他方の脚であり、前記一方の脚の前記一方の略コ字状の開口部の開口縁部と前記他方の脚の他方の略コ字状の開口部の開口縁部とが、前記一方の脚の前記他方の略コ字状の開口部の開口縁部と前記他方の脚の前記一方の略コ字状の開口部の開口縁部とが、それぞれ係止して、前記一対の脚をＸ字状に形成し、前記一方の脚の前記一方の脚部及び前記他方の脚部の先端と前記他方の脚の前記一方の脚部及び前記他方の脚部の先端とが載置面に支持され、前記一方の脚の接続部と前記他方の脚の接続部が周縁部内の前記天板の裏面に当接して支持されているものである。
【０００９】
また、請求項４記載の経机は、請求項３記載の経机において、周縁部の内壁は、時計回りに、第１の内壁、第２の内壁、第３の内壁、第４の内壁で構成され、前記一方の脚の略門形状の一方のコーナー部は、前記第１の内壁と前記第２の内壁とで構成される第１のコーナー部に、前記一方の脚の略門形状の他方のコーナー部は、前記第４の内壁と前記第１の内壁とで構成される第４のコーナー部に、前記他方の脚の略門形状の他方のコーナー部は、前記第２の内壁と前記第３の内壁とで構成される第２のコーナー部に、前記他方の脚の略門形状の一方のコーナー部は、前記第３の内壁と前記第４の内壁とで構成される第３のコーナー部に、それぞれ当接しているものである。
【００１０】
また、請求項５記載の経机は、天板と、Ｘ字状に形成された一対の脚で、前記天板を支持する経机であって、前記天板は、平面視、略四角形状であり、前記天板の裏面の周縁は、四角形状に囲む周縁部に形成され、前記一対の脚は、２個の同じ脚で構成され、この２個の同じ脚はそれぞれ略門形状をなし、略門形状をなした前記脚は、一方の脚部と、この一方の脚部に対向する位置にある他方の脚部と、この他方の脚部と前記一方の脚部とを接続する接続部とを有し、前記一方の脚部の長手方向の中途に前記長手方向を横断する方向に一方の略コ字状の開口部が設けられ、この一方の略コ字状の開口部は、前記他方の脚部に向かう側に開口し、前記他方の脚部の長手方向の中途に前記長手方向を横断する方向に他方の略コ字状の開口部が設けられ、この他方の略コ字状の開口部は、前記一方の脚部と反対側に開口し、前記接続部が上、前記一方の略コ字状の開口部が右、前記他方の略コ字状の開口部が左に位置した場合、前記一方の略コ字状の開口部の対向する開口縁部は、それぞれ前記一方の脚部の厚み方向に向かって上がる一方の傾斜面が形成され、前記他方の略コ字状の開口部の対向する開口部縁部はそれぞれ前記他方の脚部の厚み方向に向かって上がる他方の傾斜面が形成され、前記一方の脚部の厚み方向とは、前記一方の脚部の長手方向に対して直角に横断する方向であり、前記他方の脚部の厚み方向とは、前記他方の脚部の長手方向に対して直角に横断する方向であり、前記他方の傾斜面と前記一方の傾斜面の前記一方の脚部及び前記他方の脚部の厚み方向に向かって上がる傾斜角度は略同じであり、前記２個の同じ脚は、一方の脚と他方の脚であり、前記一方の脚の前記一方の略コ字状の開口部の開口縁部と前記他方の脚の他方の略コ字状の開口部の開口縁部とが、前記一方の脚の前記他方の略コ字状の開口部の開口縁部と前記他方の脚の前記一方の略コ字状の開口部とが、それぞれ係止して、前記一対の脚をＸ字状に形成し、前記一方の脚の接続部と前記他方の脚の接続部が載置面に支持され、前記一方の脚の前記一方の脚部及び前記他方の脚部の先端と前記他方の脚の前記一方の脚部及び前記他方の脚部の先端とが前記周縁部内の前記天板の裏面に当接して支持されているものである。
【００１１】
また、請求項６記載の経机は、請求項１、２、３、５の何れか１項記載の経机において、天板及び一対の脚は、木で形成されているものである。
【００１２】
また、請求項７記載の経机は、請求項１、３、５の何れか１項記載の経机において、一方の脚部と他方の脚部とを接続する第１の補強部材、又は、一方の脚部と接続部とを接続する第２の補強部材が設けられているものである。
【考案の効果】
【００１３】
請求項１記載の経机によれば、経机を「天板、この天板を支持する一対の脚」で構成しているため、天板に脚が固定されていなくても、つまり、従来のように蝶番を使用しなくても経机を製作することができ、しかも、経机が不要となった場合、天板と一対の脚は、固定されていないため、従来のように蝶番を取り外すことなく、簡単に、天板と一対の脚に分離でき、廃棄処分し易いと共に、廃棄処分しない場合、天板、一対の脚を他の用途に容易に転用することができる。例えば、Ｘ字状に形成された一対の脚をベースとして、そのまま、又は、加工して、新聞、雑誌等をのせるブックスタンド等に転用することも容易にできる。
【００１４】
また、請求項２記載の経机によれば、前述した請求項１記載の考案の効果に加え、天板の裏面の周縁を四角形状に囲んだ周縁部は、天板を補強すると共に、天板が水平方向に移動してもストッパーの機能を発揮して、天板が一対の脚から離脱するのを防ぐことができる。
【００１５】
また、請求項３記載の経机によれば、経机を「天板、この天板を支持する一対の脚」で構成しているため、天板に脚が固定されていなくても、つまり、従来のように蝶番を使用しなくても経机を製作することができ、しかも、経机が不要となった場合、天板と一対の脚は、固定されていないため、従来のように蝶番を取り外すことなく、簡単に、天板と一対の脚に分離でき、廃棄処分し易いと共に、廃棄処分しない場合、天板、一対の脚を他の用途に容易に転用することができる。例えば、Ｘ字状に形成された一対の脚をベースとして、そのまま、又は、加工して、新聞、雑誌等をのせるブックスタンド等に容易に転用することもできる。更に、天板の裏面の周縁を四角形状に囲んだ周縁部は、天板を補強すると共に、天板を水平方向にずらしてもストッパーの機能を発揮して、天板が一対の脚から離脱するのを防ぐことができる。
【００１６】
また、請求項４記載の経机によれば、前述した請求項３記載の考案の効果に加え、周縁部の内壁は、時計回りに、第１の内壁、第２の内壁、第３の内壁、第４の内壁で構成され、前記一方の脚の略門形状の一方のコーナー部は、前記第１の内壁と前記第２の内壁とで構成される第１のコーナー部に、前記一方の脚の略門形状の他方のコーナー部は、前記第４の内壁と前記第１の内壁とで構成される第４のコーナー部に、前記他方の脚の略門形状の他方のコーナー部は、前記第２の内壁と前記第３の内壁とで構成される第２のコーナー部に、前記他方の脚の略門形状の一方のコーナー部は、前記第３の内壁と前記第４の内壁とで構成される第３のコーナー部に、それぞれ当接しているため、天板が水平方向に移動できず、天板が一対の脚から離脱するのを防ぐことができる。
【００１７】
また、請求項５記載の経机によれば、経机を「天板、この天板を支持する一対の脚」で構成しているため、天板に脚が固定されていなくても、つまり、従来のように蝶番を使用しなくても経机を製作することができ、しかも、経机が不要となった場合、天板と一対の脚は、固定されていないため、従来のように蝶番を取り外すことなく、簡単に、天板と一対の脚に分離でき、廃棄処分し易いと共に、廃棄処分しない場合、天板、一対の脚を他の用途に容易に転用することができる。例えば、Ｘ字状に形成された一対の脚をベースとして、そのまま、又は、加工して、新聞、雑誌等をのせるブックスタンド等に容易に転用することもできる。更に、天板の裏面の周縁を四角形状に囲んだ周縁部は、天板を補強すると共に、天板を水平方向にずらしてもストッパーの機能を発揮して、天板が一対の脚から離脱するのを防ぐことができる。
【００１８】
また、請求項６記載の経机によれば、前述した請求項１、２、３、５記載の考案の効果に加え、天板及び一対の脚は、木で形成されているため、経机が不要となった場合、従来のように蝶番を使用していないため、金属、非金属と分別することなく、そのまま廃棄することができる。
【００１９】
また、請求項７記載の経机によれば、前述した請求項１、２、３、５記載の考案の効果に加え、一方の脚部と他方の脚部とを接続する第１の補強部材、又は、一方の脚部と接続部とを接続する第２の補強部材が設けられているため、脚を補強することができる。
【図面の簡単な説明】
【００２０】
【図１】図１は、本考案の一実施例の経机の概略的斜視図である。
【図２】図２は、図１の経机の構成部材を概略的に示す概略的斜視図である。
【図３】図３は、図２の経机の一方の脚の概略的平面図である。
【図４】図４は、図２の経机の他方の脚の概略的平面図である。
【図５】図５（ａ）は図３のａ−ａ線による概略的断面図であり、図５（ｂ）は図４のｂ−ｂ線による概略的断面図であり、図５（ｃ）は図２のｃ−ｃ線による概略的断面図であり、図５（ｄ）は図５（ａ）のＸ部を拡大した概略的一部拡大断面図であり、図５（ｅ）は図５（ｂ）のＹ部を拡大した概略的一部拡大断面図である。
【図６】図６は、図３の一方の脚と図４の他方の脚とを係止させる前の状態の概略的斜視図である。
【図７】図７は、図６の一対の脚を係止させてＸ字状に形成し、該一対の脚に天板を支持させた状態の概略的断面図である。
【図８】図８は、図７のＸ字状に形成された一対の脚を逆転させ、該一対の脚に天板を支持させた状態の概略的断面図である。
【図９】図９は、図６の係止状態と異なる他の実施例で、一方の脚と他方の脚とを係止させる前の状態の概略的斜視図である。
【図１０】図１０は、図９の一対の脚を係止させてＸ字状に形成し、該一対の脚に天板を支持させた状態の概略的断面図である。
【図１１】図１１は、図１の経机が不要となった場合、図１の経机の一対の脚を他の用途に使用された状態の概略的斜視図である。
【図１２】図１２は、図３と異なる他の実施例の一方の脚の概略的平面図である。
【考案を実施するための形態】
【００２１】
本考案の一実施例の経机を図面を参照して説明する。
図１〜図１０に示すＫは経机で、経机Ｋは、天板１と、この天板を支持するＸ字状に形成された一対の脚２、２とで、概略的に構成されている。この天板１及び一対の脚２は、例えば、木で形成されている。
天板１は、平面視、略四角形状であり、天板１の裏面の周縁は、図２及び図７に示すように、四角形状に囲む周縁部１１に形成されている。
一対の脚２、２の上部は周縁部１１内の天板１の裏面に、一対の脚２、２の下部は載置面１０に、それぞれ当接している（図７、図８及び図１０参照）。
天板１の裏面の周縁を四角形状に囲んだ周縁部１１は、天板１を補強すると共に、天板１を水平方向に移動してもストッパーの機能を発揮して、天板１が一対の脚２、２から離脱するのを防ぐようにしている。
なお、周縁部１１の内壁は、図２に示すように、時計回りに、第１の内壁１１ａ、第２の内壁１１ｂ、第３の内壁１１ｃ、第４の内壁１１ｄで構成されている。
【００２２】
一対の脚２、２は、２個の同じ脚で構成され、この２個の同じ脚はそれぞれ略門形状をなし、脚２は一方の脚部２１と、この一方の脚部２１に対向する位置にある他方の脚部２２と、この他方の脚部２２と一方の脚部２１を接続する接続部２３とを有している。そして、一方の脚部２１と他方の脚部２２の脚部長さは、同じである。
２４は第１の補強部材で、第１の補強部材２４は、一方の脚部２１と他方の脚部２２とを接続して、略門形状の脚２を補強している。
【００２３】
図３に示すように、一方の脚部２１の長手方向の中途に前記長手方向を横断する方向に一方の略コ字状の開口部２１Ａが設けられ、この一方の略コ字状の開口部（内）２１Ａは、他方の脚部２２に向かう側に開口している。
また、他方の脚部２２の長手方向の中途に前記長手方向を横断する方向に他方の略コ字状の開口部２２Ａが設けられ、この他方の略コ字状の開口部（外）２２Ａは、前記一方の脚部と反対側に開口している。
接続部２３が上、一方の略コ字状の開口部２１Ａが右、他方の略コ字状の開口部２２Ａが左に位置した場合（図３参照）、一方の略コ字状の開口部２１Ａの対向する開口縁部２１ａは、それぞれ一方の脚部２１の厚み方向Ｔに向かって上がる一方の傾斜面が形成され、他方の略コ字状の開口部２２Ａの対向する開口部縁部２２ａはそれぞれ他方の脚部２２の厚み方向Ｔに向かって上がる他方の傾斜面が形成されている（図３及び図５参照）。
なお、一方の脚部の厚み方向Ｔとは、一方の略コ字状の開口部２１Ａが右、他方の略コ字状の開口部２２Ａが左に位置した場合（図３参照）、一方の脚部２１の長手方向に対して直角に横断する方向の手前から奥に向かう方向であり（図３及び図５参照）、他方の脚部の厚み方向Ｔとは、一方の略コ字状の開口部２１Ａが右、他方の略コ字状の開口部２２Ａが左に位置した場合（図３参照）、他方の脚部２２の長手方向に対して直角に横断する方向であり、前記他方の傾斜面と前記一方の傾斜面の一方の脚部２１及び他方の脚部２２の厚み方向に向かって上がる傾斜角度は略同じである（図３及び図５参照）。
２個の同じ脚２は、一方の脚２Ａ（図３参照）と他方の脚２Ｂ（他方の脚２Ｂは 一方の脚２Ａを裏返しした図４参照）で、一方の脚２Ａの一方の略コ字状の開口部（内）２１Ａの開口縁部２１ａと他方の脚２Ｂの他方の略コ字状の開口部（外）２２Ａの開口縁部２２ａとが、一方の脚２Ａの他方の略コ字状の開口部（外）２２Ａの開口縁部２２ａと他方の脚２Ｂの一方の略コ字状の開口部（内）２１Ａの開口縁部２１ａとが、それぞれ係止して、一対の脚２、２をＸ字状に形成している（図６乃至図８参照）。
【００２４】
上述して形成されたＸ字状に形成された一対の脚２、２の上に天板１を置いて、経机Ｋが形成される（図６及び図７参照）。 つまり、一方の脚２Ａの一方の脚部２１及び他方の脚部２２の先端と他方の脚２Ｂの一方の脚部２１及び他方の脚部２２の先端とが載置面１０に支持され、一方の脚２Ａの接続部２３と他方の脚２Ｂの接続部２３が周縁部１１内の天板１の裏面１Ｂに当接して支持されている（図７参照）。
なお、一方の脚２Ａの略門形状の一方のコーナー部Ｒ１は、第１の内壁１１ａと第２の内壁１１ｂとで構成される第１のコーナー部ｒ１に、一方の脚２Ａの略門形状の他方のコーナー部Ｒ４は、第４の内壁１１ｄと第１の内壁１１ａとで構成される第４のコーナー部ｒ４に、他方の脚２Ｂの略門形状の他方のコーナー部Ｒ３は、第２の内壁１１ｂと第３の内壁１１ｃとで構成される第２のコーナー部ｒ２に、他方の脚２Ｂの略門形状の一方のコーナー部Ｒ２は、第３の内壁１１ｃと第４の内壁１１ｄとで構成される第３のコーナー部ｒ３に、それぞれ当接している（図７参照）。
その結果、天板１が水平方向に移動できず、天板１が一対の脚２、２から離脱するのを防ぐことができる。
なお、上述の実施例においては、一方の脚２Ａの接続部２３と他方の脚２Ｂの接続部２３が周縁部１１内の天板１の裏面１Ｂに当接しているが、図８に示すように、一方の脚２Ａの接続部２３と他方の脚２Ｂの接続部２３が載置面１０に支持され、一方の脚２Ａの一方の脚部２１及び他方の脚部２２の先端と他方の脚２Ｂの一方の脚部２１及び他方の脚部２２の先端とが周縁部１１内の天板１の裏面１Ｂに当接して支持されるようにしても良い。
更に、図９及び図１０に示すように、一方の脚２Ａと他方の脚２Ｂとの係止状態を変えて経机Ｋを形成しても良い。
このように、天板１と一対の脚２、２とで構成される経机Ｋは、天板１と一対の脚２、２との当接する状態にし、その形態として、図７に示す第１の形態（高さＨ2）、図８に示す第２の形態（高さＨ3）、図１０に示す第３の形態（高さＨ1、Ｈ1＞Ｈ2＞Ｈ3）として、使用者の好みにより、経机Ｋの使用高さの調整を図ることができる。
【００２５】
また、上記の実施例においては、一方の脚部２１と他方の脚部２２とを接続した第１の補強部材２４により、略門形状の脚２を補強したが、本願考案にあっては、これに限らず、図１２に示すように、第２の補強部材２５を、他方の脚部２２（又は一方の脚部２１）と接続部２３とを接続して、略門形状の脚２を補強しても良い。
【００２６】
従って、上述した経机Ｋによれば、経机Ｋを「天板１、この天板１を支持する一対の脚２、２」で構成しているため、天板１に脚２が固定されていなくても、つまり、従来のように蝶番を使用しなくても経机Ｋを製作することができ、しかも、経机Ｋが不要となった場合、天板１と一対の脚２、２は、固定されていないため、従来のように蝶番を取り外すことなく、簡単に、天板１と一対の脚２、２に分離でき、廃棄処分し易いと共に、廃棄処分しない場合、天板１、一対の脚２、２を他の用途に容易に転用することができる。例えば、図１１に示すように、Ｘ字状に形成された一対の脚をベースとして、そのまま、又は、加工して、新聞、雑誌等をのせるブックスタンドＢ等に転用することもできる。
【符号の説明】
【００２７】
Ｋ      経机
１      天板
２      脚
２１    一方の脚部
２２    他方の脚部
２３    接続部
【図１】
0003157997.tif 000003
【図２】
0003157997.tif 000004
【図３】
0003157997.tif 000005
【図４】
0003157997.tif 000006
【図５】
0003157997.tif 000007
【図６】
0003157997.tif 000008
【図７】
0003157997.tif 000009
【図８】
0003157997.tif 000010
【図９】
0003157997.tif 000011
【図１０】
0003157997.tif 000012
【図１１】
0003157997.tif 000013
【図１２】
0003157997.tif 000014